(57)【要約】  コンプレッサケーシングと、その中を回転するように配置されて少なくとも１つのインペラから構成されるロータとを備える湿潤ガスコンプレッサが記載される。コンプレッサケーシング内にはキャビティが設けられ、コンプレッサにより処理される湿潤ガス中に含まれる液体がコンプレッサの動作中に集まることができる。ドレーンポートがキャビティの底部に設けられ、キャビティのドレーンポートよりも上側の位置に通気ポートが設けられる。ドレーンポートおよび通気ポートは液位測定チャンバと流体連通する。レベルゲージが液位測定チャンバに設けられ、キャビティから液体排出ラインへ向けて液体を排出するために排出弁が設けられ、液体排出ラインが排出弁を介してドレーンポートに流体接続される。制御装置は、レベルゲージから信号を受けるとともに、液位測定チャンバ内の液体が閾値レベルに達するときに排出弁が開放されるように排出弁を制御する。【選択図】図１
2017516943.tif 000002
【特許請求の範囲】
【請求項１】
コンプレッサケーシング（１）と、
前記コンプレッサケーシング（１）内に回転するように配置されて少なくとも１つのインペラ（３１、３３）から構成されるロータ（３１、３３、３５）と、
前記コンプレッサケーシング内にあって、前記コンプレッサ（１０）により処理される湿潤ガス中に含まれる液体（Ｌ）が前記湿潤ガスの処理中に集まる少なくとも１つのキャビティ（３；３．１〜３．６）と、
前記少なくとも１つのキャビティ（３；３．１〜３．６）の底部にあるドレーンポート（５）と、
前記少なくとも１つのキャビティの前記ドレーンポートよりも上側の位置にある通気ポート（１３）であって、前記ドレーンポート（５）および前記通気ポート（１３）が液位測定チャンバ（９）と流体連通する、通気ポート（１３）と、
前記液位測定チャンバ（９）と組み合わされるレベルゲージ（１５）と、
前記少なくとも１つのキャビティ（３；３．１−３．６）から液体排出ラインへ向けて液体を排出するようになっている排出弁（２１）であって、前記液体排出ラインが前記排出弁（２１）を介して前記ドレーンポート（５）に流体接続される、排出弁（２１）と、
前記レベルゲージ（１５）から信号を受けるとともに、前記液位測定チャンバ（９）内の液体が閾値レベル（ＴＨ）に達するときに前記排出弁（２１）が開放されるように前記排出弁（２１）を制御するように構成される制御装置（１７）と、
を備える湿潤ガスコンプレッサ（１０）。
【請求項２】
前記液位測定チャンバ（９）は、前記液位測定チャンバ（９）内および前記少なくとも１つのキャビティ（３；３．１〜３．６）内の液位が前記ドレーンポート（５）に対して同じ高さにあるように配置される、請求項１記載のコンプレッサ。
【請求項３】
前記コンプレッサケーシング内にあって、前記コンプレッサ（１０）により処理される湿潤ガス中に含まれる液体を収集するための少なくとも１つの更なるキャビティ（３．１〜３．６）と、
前記更なるキャビティ（３．１〜３．６）の底部にある更なるドレーンポート（５）と、
前記更なるキャビティの前記更なるドレーンポート（５）よりも上側の位置にある更なる通気ポート（１３）であって、前記更なるドレーンポートおよび通気ポートが更なる液位測定チャンバ（９）と流体連通する、更なる通気ポート（１３）と、
前記更なる液位測定チャンバ（９）と組み合わされる更なるレベルゲージ（１５）と、
前記更なるキャビティから液体排出ラインへ向けて液体を排出するようになっている更なる排出弁（２１）と、
を更に備える、請求項１または２記載のコンプレッサ。
【請求項４】
前記更なるレベルゲージ（１５）が前記制御装置（１７）に接続され、前記制御装置（１７）は、前記更なるレベルゲージから信号を受けるとともに、前記更なる液位測定チャンバ（９）内の液体が閾値レベルに達するときに前記更なる排出弁が開放されるように前記更なる排出弁を制御するように構成される、請求項３記載のコンプレッサ。
【請求項５】
前記制御装置（１７）は、前記排出弁および前記更なる排出弁を制御するための単一の制御ユニットを備え、または、前記排出弁を制御するための第１の制御ユニットと、前記更なる排出弁を制御するための更なる制御ユニットとを備える、請求項４記載のコンプレッサ。
【請求項６】
前記レベルゲージ（１５）が前記コンプレッサケーシング（１）の外側に配置される、請求項１乃至５のいずれか１項記載のコンプレッサ。
【請求項７】
前記レベルゲージ（１５）が磁気レベルゲージである、請求項１乃至６のいずれか１項記載のコンプレッサ。
【請求項８】
前記排出弁（２１）の下流側に逆止弁（２２）を更に備える、請求項１乃至７のいずれか１項記載のコンプレッサ。
【請求項９】
遠心コンプレッサとして構成される、請求項１乃至８のいずれか１項記載のコンプレッサ。
【請求項１０】
コンプレッサケーシング（１）と、前記コンプレッサケーシング（１）内に回転するように配置される少なくとも１つのインペラ（３１、３３）とを備える湿潤ガスコンプレッサ（１０）内に蓄積される液体を除去するための方法であって、
前記コンプレッサケーシング（１）内に少なくとも１つのキャビティ（３；３．１〜３．６）を設けるステップと、
前記キャビティ（３；３．１〜３．６）の底部に配置されるドレーンポート（５）と、前記ドレーンポート（５）よりも上側に配置される通気ポート（１３）とを設けるステップと、
前記通気ポート（１３）および前記ドレーンポート（５）をレベルゲージ（１５）を備える液位測定チャンバ（９）と流体接続するステップと、
前記キャビティ（３；３．１〜３．６）と液体排出ラインとの間に排出弁（２１）を設けるステップと、
前記コンプレッサを作動させて、前記コンプレッサを通過する湿潤ガスを処理するステップと、
前記コンプレッサにより処理される湿潤ガスから分離する液体を前記キャビティ（３；３．１〜３．６）内に収集するステップと、
前記液位測定チャンバ（９）内の液位を検出するステップと、
前記液位測定チャンバ（９）内の液体が第１の閾値レベル（ＴＨ）に達する場合に、前記排出弁（２１）を開いて、液体を前記キャビティ（３；３．１〜３．６）からおよび前記液位測定チャンバ（９）から前記排出弁（２１）を通じて排出するステップと、
を備える方法。
【請求項１１】
前記排出弁が開かれて、前記コンプレッサを停止させることなく液体が排出される、請求項１０記載の方法。
【請求項１２】
前記液位測定チャンバ（９）が前記コンプレッサケーシング（１）の外側に配置される、請求項１０または１１記載の方法。
【請求項１３】
前記排出弁（２１）の下流側に逆止弁（２２）を配置するステップを更に備える、請求項１０乃至１２のいずれか１項記載の方法。
【請求項１４】
前記湿潤ガスコンプレッサは、前記液位測定チャンバ（９）内で液位の第２の閾値（ＴＨ１）に達するときに停止され、前記第２の閾値が前記第１の閾値よりも高い、請求項１０乃至１３のいずれか１項記載の方法。
【発明の詳細な説明】
【技術分野】
【０００１】
本開示はターボマシンに言及する。より具体的には、本開示は、湿潤ガス、すなわち、液体粒子を含むガス流を処理する湿潤ガスコンプレッサ、特に遠心コンプレッサに関する改善に関する。
【背景技術】
【０００２】
多くの産業において、特に、排他的ではないが石油ガス採取・処理産業では、ガスを処理するターボマシンが使用され、前記ガスは、ターボマシンを通じて処理される主ガス流中に混入される固体粒子または液体粒子を含有し得る。海中コンプレッサがターボマシンの典型的な例であり、海中コンプレッサは、ガス田から引き出されるガス状炭化水素がしばしばターボマシンを通じて流れるガスによって引き込まれる液滴および／または固形物の形態を成すより重い炭化水素を含むため、湿潤ガスを処理する。
【０００３】
湿潤ガスコンプレッサにより処理されるガス流中に含まれる液滴は、コンプレッサケーシング内に設けられる１つ以上のキャビティ内に集まることができる。例えば、コンプレッサの排出ノズルが下方に向けられなければ、一部の液体が出口ボリュートに集まる可能性があり、この出口ボリュートでは最後のコンプレッサステージからの圧縮ガスが収集され、そこから、圧縮ガスが出口マニホールドへ向けて送出される。期せずして液体が集まり得る他のキャビティは、隣接するコンプレッサインペラ間に配置されるディフューザまたは戻しチャネルの部分、平衡ドラムに隣接するキャビティ、および、コンプレッサケーシング内に様々に位置される他のキャビティである。
【０００４】
液体は、機械の連続動作中に或いは加圧停止中に蓄積する可能性がある。後者の場合には、プロセス流の冷却に起因する重質炭化水素の凝縮によっても液体が生成される可能性がある。
【先行技術文献】
【特許文献】
【０００５】
【特許文献１】欧州特許出願公開第２４８１９０２号明細書
【発明の概要】
【０００６】
１つの態様によれば、本明細書中に開示される主題は、コンプレッサケーシングと、コンプレッサケーシング内に回転するように配置されて少なくとも１つのインペラから構成されるロータとを備える湿潤ガスコンプレッサに関する。コンプレッサは、コンプレッサにより処理される湿潤ガス中に含まれる液体を収集するための少なくとも１つのキャビティを更に備える。ドレーンポートがキャビティの底部に設けられ、前記キャビティのドレーンポートよりも上側の位置に通気ポートが更に設けられ、ドレーンポートおよび通気ポートは液位測定チャンバと流体連通している。レベルゲージが液位測定チャンバと組み合わされ、また、キャビティから液体排出ラインへ向けて液体を排出するために排出弁が配置される。更に、制御装置が設けられ、この制御装置は、レベルゲージから信号を受けるとともに、液位測定チャンバ内の液体が閾値レベルに達するときに排出弁が開放されるように排出弁を制御するように構成される。
【０００７】
湿潤ガスコンプレッサは遠心湿潤ガスコンプレッサとなり得る。幾つかの実施形態において、コンプレッサは、複数の連続的に配置されるインペラから構成される多段式コンプレッサである。
【０００８】
幾つかの実施形態では、コンプレッサが複数のキャビティを備え、各キャビティはドレーンポートおよび通気ポートと流体連通している。各キャビティは、レベルゲージが組み合わされて成るそれぞれの液位測定チャンバと更に流体接続される。それぞれの排出弁は、各キャビティから液体を排出するために配置される。１つの排出弁、幾つかの排出弁、または、全ての排出弁を制御するために１つ以上の制御装置を設けることができ、それにより、各排出弁は、それぞれの液位測定チャンバ内の液位が所定の閾値に達するときに開放される。
【０００９】
幾つかの実施形態では、レベルゲージまたは各レベルゲージがコンプレッサケーシングの外側に配置される。
【００１０】
コンプレッサは、排出弁または各排出弁の下流側に逆止弁を更に備えることができる。
【００１１】
更なる態様によれば、本明細書中に開示される主題は、コンプレッサケーシングと、コンプレッサケーシング内に回転するように配置される少なくとも１つのインペラとを備える湿潤ガスコンプレッサ内に蓄積される液体を除去するための方法に関する。方法は、
湿潤ガスから分離される液体が集まる少なくとも１つのキャビティまたは複数のキャビティをコンプレッサケーシング内に設けるステップと、
各キャビティの底部に配置されるドレーンポートと、ドレーンポートよりも上側に配置される通気ポートとを設けるステップと、
通気ポートおよびドレーンポートを液位ゲージを備える液位測定チャンバと流体接続するステップと、
キャビティと液体排出ラインとの間に排出弁を設けるステップと、
コンプレッサを作動させて、コンプレッサを通過する湿潤ガスを処理するステップと、
コンプレッサにより処理される湿潤ガスから分離する液体をキャビティ内に収集するステップと、
液位測定チャンバ内の液位を検出するステップと、
液位測定チャンバ内の液体が閾値レベルに達する場合に、排出弁を開いて、液体をキャビティからおよびチャンバから排出するステップと、
を備える。
【００１２】
複数のキャビティがコンプレッサケーシング内に存在する場合、各キャビティは、それぞれのドレーンポート、通気ポート、および、それぞれのレベルゲージを伴う液位測定チャンバを備えることができる。それぞれの排出弁は、各キャビティと流体連通できるとともに、それぞれの液位測定チャンバと関連付けられる液位ゲージにより検出される液位に基づいて制御され得る。
【００１３】
幾つかの実施形態によれば、コンプレッサが作動している間、排出弁が開放される。
【００１４】
本明細書中の以下では、特徴および実施形態が開示され、また、これらの特徴および実施形態は、この明細書本文の一体部分を成す添付の特許請求の範囲に更に記載される。先の簡単な説明は、以下の詳細な説明をより良く理解できるように且つ当該技術分野に対するこの寄与度をより良く認識できるように本発明の様々な実施形態の特徴を記載する。無論、以下に記載され且つ添付の特許請求の範囲に記載される本発明の他の特徴も存在する。この点において、本発明の幾つかの実施形態を詳しく説明する前に、本発明の様々な実施形態がそれらの適用において以下の説明に記載されまたは図面に示される構成の細部におよび構成要素の配置に限定されないことが理解される。本発明は、他の実施形態を成すことができ、また、様々な方法で実施して行なうことができる。また、本明細書中で使用される表現および用語が説明を目的とするものであって限定すると見なされるべきでないことが理解されるべきである。
【００１５】
したがって、当業者であれば分かるように、本開示が基づく着想は、本発明の幾つかの目的を果たすための他の構造、方法、および／または、システムを設計するための基準として容易に利用されてもよい。したがって、特許請求の範囲は、それらが本発明の思想および範囲から逸脱しない限りにおいてがそのような均等な構成を含むと見なされることが重要である。
【００１６】
本発明の開示された実施形態およびその多くの付随する利点の更に完全な認識は、それらが添付図面に関連して考慮されるときに以下の詳細な説明を参照することにより更に良く理解されるようになるため、容易に得られる。
【図面の簡単な説明】
【００１７】
【図１】対応する液位測定チャンバと組み合わせた、ガス流から分離する液体が集まることができる一般的なキャビティを概略的に示す。
【図２】典型的な遠心コンプレッサであって、該コンプレッサにより処理されるべき湿潤ガスから分離する液体の収集のための複数のキャビティを有する遠心コンプレッサの一部の断面図を概略的に示す。
【発明を実施するための形態】
【００１８】
典型的な実施形態の以下の詳細な説明は、添付図面を参照する。異なる図面中の同じ参照数字は、同一または類似する要素を特定する。また、図面は必ずしも原寸に比例して描かれているとは限らない。また、以下の詳細な説明は発明を限定しない。代わりに、本発明の範囲は、添付の特許請求の範囲によって規定される。
【００１９】
明細書の全体にわたって「１つの実施形態」または「一実施形態」または「幾つかの実施形態」への言及は、実施形態に関連して説明される特定の特徴、構造、または、特性が開示される主題の少なくとも１つの実施形態に含まれることを意味する。したがって、明細書の全体にわたる様々な場所での「１つの実施形態」または「一実施形態」または「幾つかの実施形態」という表現の出現は、必ずしも同じ実施形態に言及しているとは限らない。更に、特定の特徴、構造、または、特性は、１つ以上の実施形態において任意の適した態様で組み合わされてもよい。
【００２０】
以下の説明は、湿潤ガスを処理するための遠心コンプレッサの一実施形態に関連する。例えば同様の液体蓄積問題が起こる他の種類のコンプレッサにおける、本明細書中に開示される主題の他の使用も想定し得る。
【００２１】
図１は、本明細書中に開示される主題の動作のための原理を説明する図を示す。図１の概略図おいて、参照数字１は、キャビティ３が形成されるコンプレッサケーシングを示す。コンプレッサにより処理される湿潤ガス流から分離する液体Ｌは、キャビティ３の底部に集まることができる。
【００２２】
キャビティ３の底部には、ライン７を介して液位測定チャンバ９と流体連通するドレーンポート５が設けられる。ライン７は液位測定チャンバ９の底部９Ｂに接続され得る。液位測定チャンバ９の上端９Ｔは、キャビティ３の上端またはその近傍の通気ポート１３とライン１１を介して流体連通し得る。
【００２３】
幾つかの実施形態によれば、液位測定チャンバ９をコンプレッサケーシング１の外側に位置させることができ、また、ライン７、１１はコンプレッサケーシング１を貫通して延びる。
【００２４】
レベルゲージ１５が液位測定チャンバ９に配置され、また、このレベルゲージ１５は制御ユニットまたは制御装置１７に対して電子的に接続され得る。制御ユニット１７は、配線１９を介して排出弁２１と接続され得る。排出弁２１は、キャビティ３と流体連通状態で排出パイプ２３上に位置される。排出弁２１の開放により、キャビティ３内に収集された液体中の液体Ｌがキャビティ３から収集リザーバまたは同様のもの（図示せず）へ向けて排出される。制御ユニット１７は、コンプレッサの正確な動作を損なう可能性があるキャビティ３内の液位の閾値を上回る上昇を防止するために、排出弁２１を選択的に開閉するように構成されて制御され得る。
【００２５】
液位測定チャンバ９およびレベルゲージ１５は、キャビティ３内の液位をレベルゲージ１５によって検出できるようにキャビティ３に対して空間的に配置され、キャビティ３内およびチャンバ９内の液位は、両方のポート５、１３およびそれぞれのライン７、１１を通じた流体接続のおかげにより同じである。すなわち、レベルゲージ１５の測定間隔は、キャビティ３内で達成され得る液位に対応する高さに設定される。
【００２６】
コンプレッサの動作中、コンプレッサにより処理される湿潤ガスから例えば重力（重力を概略的に表わす矢印Ｇ参照）によって分離する液体は、キャビティ３の底部上に蓄積する。液体は、ライン７を通じて、液位測定チャンバ９内にも集まる。液位測定チャンバ９内およびキャリア３内の液位は、接続ライン７に起因して常に同じ高さである。図１には、液位がＬ１で示される。液位Ｌ１はレベルゲージ１５によって検出され得る。幾つかの実施形態では、レベルゲージ１５が磁気レベルゲージである。適した磁気レベルゲージは、イタリアのＧａｒｂａｇｎａｔｅ  ＭｉｌａｎｅｓｅにあるＣｅｓａｒｅ  Ｂｏｎｅｔｔｉ  ｓ．ｐ．ａ．から入手できるＢｏｎｔ（登録商標）磁気レベルゲージである。
【００２７】
レベルゲージ１５は、液位測定チャンバ９内の液位Ｌ１が閾値ＴＨに達するときに信号を生成できる。レベルゲージ１５により生成される信号は、制御ユニット１７を通じて、排出弁２１の開放を引き起こす。
【００２８】
レベルゲージ１５および制御ユニット１７は、制御ユニット１７が液位測定チャンバ９内の液位Ｌ１に関する情報を連続的に受けるように構成されて配置され得る。閾値レベルＴＨは、制御ユニット１７においてプログラマーにより設定され得るとともに、制御ユニット１７は、閾値レベルに達したことをレベルゲージ１５からのレベル信号が示すときに排出弁開放信号を生成する。或いは、前述したように、レベルゲージ１５は、液位Ｌ１により閾値ＴＨに達する際のみにアラーム信号または弁開放信号を生成するように構成され得る。アラーム信号は制御ユニット１７に供給され、また、前記アラーム信号に基づいて、制御ユニット１７が排出弁２１を開放する。
【００２９】
幾つかの実施形態では、液位閾値ＴＨを上回る第２の液位閾値ＴＨ１を与えることができる。制御ユニット１７は、第２の閾値ＴＨ１に達するときにコンプレッサが破損を防止するべく直ちに停止されるように構成され得る。
【００３０】
コンプレッサの排出は、加圧停止中に或いはコンプレッサが作動している間に行なうことができる（コンプレッサのキャビティは凝縮物の逆流を防止するために内圧が十分に高いため）。機械のキャビティへ向かう逆流を防止するために、排出弁２１の下流側に逆止弁２２を設けることもできる。
【００３１】
キャビティ３における信頼できる液位制御が得られ、また、キャビティ３内の液位をチェックすることによりコンプレッサを安全に連続的に動作させることができる。液体は、排出弁２１を開放することにより必要時に排出され、したがって、ターボマシン内の液体の過度の蓄積が回避される。
【００３２】
制御ユニット１７の制御下で排出弁２１が開放されてしまった時点で、例えばキャビティ３から液体を排出するのに十分であるように計算される予め設定された時間間隔の後に排出弁を再び閉じることができる。他の実施形態では、例えば閾値レベルＴＨよりも低い更なる閾値レベルによって弁２１の閉鎖を制御できる。液位測定チャンバ９内の液体がこの低い方の閾値に達した時点では、キャビティは殆ど空であり、排出弁２１を閉じることができる。
【００３３】
図１に関してこれまで説明された一般的な原理は、コンプレッサにおいて、例えば、図２に概略的に示される湿潤ガス遠心コンプレッサであって、液位測定チャンバ９と液体が蓄積できる遠心コンプレッサの各キャビティとを組み合わせる湿潤ガス遠心コンプレッサにおいて具現化され得る。図２の断面図には、ケーシング１と、ケーシング内に回転するように配置されるロータとから構成される２段遠心コンプレッサ１０が示される。ロータは、ケーシング１内に回転可能に支持されるシャフト３５上に装着される２つのインペラ３１、３３を備える。
【００３４】
他の実施形態では、コンプレッサ１０の設計に応じて、異なる数および形態のインペラ３１、３３を設けることができる。
【００３５】
図２に示される典型的な実施形態において、コンプレッサ１０には、ガス入口プレナム３７と入口ガイドベーン３９とが設けられ、これらを通じて湿潤ガスが第１のインペラ３１へ向けて供給される（矢印Ｆ参照）。
【００３６】
ガスは、回転インペラ３１によって加速されて、戻りチャネル４３と流体連通するディフューザ４１において排出される。インペラ３１により加速されるガスの運動エネルギーの一部は、ディフューザ４１内で圧力エネルギーへ変換される。部分的に圧縮されたガスは、第２のインペラ３３に入ってこのインペラにより再び加速されて、第２のディフューザ４５内に収集され、このディフューザでは、第２のインペラ３３により供給されるガスの運動エネルギーが圧力エネルギーへ変換される。
【００３７】
ボリュート４７が、第２のインペラ３３により供給されるガスを第２のディフューザ４５を通じて収集し、それを供給マニホールド（図示せず）へ向けて供給する。
【００３８】
図２の典型的な実施形態において、コンプレッサ１０は、シャフト３５上に回転するように装着される平衡ドラム４９を備える。インペラ３３の反対側には、平衡チャンバ５１が平衡ドラム４９に隣接して設けられる。それ自体知られる方法で、平衡チャンバ５１は、シャフト３５に作用する軸方向推力を生み出すために、入口プレナム３７と流体連通することができ、それにより、コンプレッサ１０の動作中に、インペラ３１、３３により生み出される軸方向推力が少なくとも部分的に釣り合わされる。
【００３９】
コンプレッサ１０のケーシング１の内側の様々な位置に複数の液体収集キャビティが設けられる。単なる一例として、図２の概略図には、６つの液体収集キャビティが描かれており、これらには３．１、３．２、３．３、３．４、３．５、３．６の数字が付される。液体収集キャビティ３．１〜３．６の数、形状、および、位置は単なる一例であり、これらのキャビティの数、形状、寸法、および、位置が特定のコンプレッサ構造に依存することが理解される。
【００４０】
各液体収集キャビティ３．１〜３．６は、一般的な液体収集キャビティ３に関して図１に概略的に示されるのと全く同じ態様で、対応する液位測定チャンバと流体連通できる。
【００４１】
したがって、各液体収集キャビティ３．１〜３．６には、好ましくはケーシング１の外側に配置される図示しない対応する液位測定チャンバを設けることができる。各液位測定チャンバは、一般的な液位測定チャンバ９に関して前述したように構成されて配置され得るとともに、レベルゲージ１５を備えることができる。
【００４２】
各液位測定チャンバは、キャビティ３、通気ポート１３、および、ドレーンポート５に関して図１に概略的に示されるのと全く同じ態様でそれぞれのドレーンポートおよび通気ポートを介してそれぞれの液体収集キャビティ３．１〜３．６と流体連通できる。
【００４３】
様々な液体収集キャビティ３．１〜３．６の液体ゲージを単一の制御ユニット１７に接続することができ、また、制御ユニット１７は、それぞれの液体収集キャビティ３．１〜３．６ごとに設けられる様々な排出弁に接続され、それにより、異なる排出弁の開閉を制御する共通の制御ユニットによって様々なレベルゲージからの信号を処理できる。他の実施形態では、各液体収集キャビティと組み合わされるそれぞれの液体ゲージおよび関連する排出弁ごとに別個の制御ユニットを設けることができる。
【００４４】
図２において、参照数字Ｈ１〜Ｈ６は、それぞれの液体収集キャビティ３．１〜３．６における閾値液位を示す。図２から分かるように、各液体収集キャビティ３．１〜３．６は、キャビティの形状および位置に応じて異なる液位閾値を有する。したがって、それぞれのレベルゲージ１５を伴う別個の液位測定チャンバがそれぞれの液体収集キャビティ内の液位を別個に制御できる。
【００４５】
以上、本明細書中に記載される主題の開示される実施形態を幾つかの典型的な実施形態に関連して入念に詳しく図示して十分に説明してきたが、当業者に明らかなように、本明細書中に記載される新規な技術、原理、および、概念、並びに、添付の特許請求の範囲に記載される主題の利点から実質的に逸脱することなく、多くの修正、変更、または、省略が想定され得る。そのため、開示された革新の適切な範囲は、そのような修正、変更、および、省略の全てを包含するように添付の特許請求の範囲の最も広い解釈のみによって決定されるべきである。加えて、任意のプロセスおよび方法ステップの順序または配列は、別の実施形態にしたがって変えられ或いは並び直されてもよい。
【符号の説明】
【００４６】
１  コンプレッサケーシング
３  キャビティ
５  ドレーンポート
７  ライン
９  液位測定チャンバ
９Ｂ  底部
９Ｔ  上端
１０  遠心コンプレッサ
１１  ライン
１３  通気ポート
１５  レベルゲージ
１７  制御ユニット
１９  配線
２１  排出弁
３１  第１のインペラ
３３  第２のインペラ
３５  シャフト
３７  ガス入口プレナム
３９  入口ガイドベーン
４１  ディフューザ
４３  戻りチャネル
４７  ボリュート
４９  平衡ドラム
５１  平衡チャンバ
３．１、３．２、３．３、３．４、３．５、３．６  液体収集キャビティ
Ｌ  液体
【図１】
2017516943.tif 000003
【図２】
2017516943.tif 000004
【国際調査報告】
2017516943.tif 000005
2017516943.tif 000006